(57)【要約】【課題】放熱効率を高めることができるファン用導風構造を提供すること。【解決手段】本考案のファン用導風構造２は、並設される複数の放熱フィン２０を備え、複数の放熱フィン２０は、一方の端部に第１の端部２０１を有し、他方の端部に第２の端部２０２を有し、隣り合う前記放熱フィン２０の間には、風道である通路３が形成され、第１の端部２０１から長手方向の所定の長さ分を放熱フィン２０の面側に曲げることで、少なくとも１つの第１の傾斜部２０１１が形成され、通路３の前記第１の傾斜部２０１１の部分には、前記通路３に連通する第１の導風路３１が形成されている。本考案のファン用導風構造２により、低温気流が導風路に沿って複数の放熱フィンに迅速に導入される。これにより、流れ場が改善され、最適な放熱効果を実現することができる。【選択図】図２
0003170659.tif 000002
【実用新案登録請求の範囲】
【請求項１】
並設される複数の放熱フィンを備え、
前記複数の放熱フィンは、一方の端部に第１の端部を有し、他方の端部に第２の端部を有し、隣り合う前記放熱フィンの間には、風道である通路が形成され、前記第１の端部から長手方向の所定の長さ分を放熱フィンの面側に曲げることで少なくとも１つの第１の傾斜部が形成され、前記通路の前記第１の傾斜部の部分には、前記通路に連通する第１の導風路が形成されることを特徴とするファン用導風構造。
【請求項２】
前記第２の端部から長手方向の所定の長さ分を放熱フィンの面側に曲げることで、少なくとも１つの第２の傾斜部が形成され、前記通路の前記第２の傾斜部の部分には、前記通路に連通する第２の導風路が形成されることを特徴とする請求項１に記載のファン用導風構造。
【請求項３】
前記第１の端部から長手方向の所定の長さ分を放熱フィンの面側に曲げることで、少なくとも１つの第３の傾斜部が形成され、前記通路の前記第３の傾斜部の部分には、前記通路に連通する第３の導風路が形成されることを特徴とする請求項２に記載のファン用導風構造。
【請求項４】
前記第３の傾斜部は、前記第１の傾斜部と隣り合うように配置したことを特徴とする請求項３に記載のファン用導風構造。
【請求項５】
前記第２の端部から長手方向の所定の長さ分を放熱フィンの面側に曲げることで、少なくとも１つの第４の傾斜部が形成され、前記通路の前記第４の傾斜部の部分には、前記通路に連通する第４の導風路が形成されることを特徴とする請求項３に記載のファン用導風構造。
【請求項６】
前記第４の傾斜部は、前記第２の傾斜部と隣り合うように配置したことを特徴とする請求項５に記載のファン用導風構造。
【請求項７】
前記複数の放熱フィンと前記第１の傾斜部との間には、第１の挟角が形成され、前記第１の挟角の角度は、９０度より大きく、１８０度より小さいことを特徴とする請求項１に記載のファン用導風構造。
【請求項８】
前記複数の放熱フィンと前記第２の傾斜部との間には、第２の挟角が形成され、前記第２の挟角の角度は、９０度より大きく、１８０度より小さいことを特徴とする請求項２に記載のファン用導風構造。
【請求項９】
前記複数の放熱フィンと前記第３の傾斜部との間には、第３の挟角が形成され、前記第３の挟角の角度は、９０度より大きく、１８０度より小さいことを特徴とする請求項３に記載のファン用導風構造。
【請求項１０】
前記複数の放熱フィンと前記第４の傾斜部との間には、第４の挟角が形成され、前記第４の挟角の角度は、９０度より大きく、１８０度より小さいことを特徴とする請求項５に記載のファン用導風構造。
【請求項１１】
前記複数の放熱フィンの前記第１の傾斜部と反対側の前記第２の端部の下方には、ファンが配置され、前記ファンが生成する気流は、前記通路を介して前記第１の導風路から送出されることを特徴とする請求項１に記載のファン用導風構造。
【請求項１２】
前記第２の傾斜部の下方の位置には、ファンが配置され、前記ファンが生成する気流は、前記通路を介して、前記第１の導風路から送出されることを特徴とする請求項２に記載のファン用導風構造。
【請求項１３】
前記ファン用導風構造は、筐体内に装着され、前記筐体は、複数の排気孔を有し、前記第１の導風路は、前記排気孔に対向配置されることを特徴とする請求項１に記載のファン用導風構造。
【請求項１４】
前記ファン用導風構造は、筐体内に装着され、前記筐体は、複数の排気孔を有し、前記第２の導風路は、前記排気孔に対向しない反対側の位置に配置されることを特徴とする請求項２に記載のファン用導風構造。
【考案の詳細な説明】
【技術分野】
【０００１】
本考案は、ファン用導風構造に関し、特に、放熱効果を高めることができるファン用導風構造に関する。
【背景技術】
【０００２】
科学技術の進歩及び普及に伴い、大量の情報を処理し、リアルタイム性を高めるために、高周波数で高速のＣＰＵが開発されている。しかし、それに伴い、熱に関する問題も大きくなっており、ＣＰＵから発生する大量の熱を即座に排除できない場合、ＣＰＵの温度が高くなり、システムの安全性及び性能に影響を及ぼしてしまう虞がある。従って、ファン用導風構造などの放熱装置によってこのような問題を解決する必要がある。
【０００３】
図１は、従来のファン用導風構造を示す斜視図である。  
図１に示すように、一般に、従来のファン用導風構造は、複数の放熱フィン１が直立平行に配列され、２つの放熱フィン１の間には、風路である導風領域が形成される。また、放熱フィン１の一方の端部側には、ファン１０が装着される。このような構成により、ファン用導風構造を有する放熱装置が構成される。また、この放熱装置は、電子素子の表面に装着される。
【０００４】
上記構成の放熱装置において、ファン１０が運転を開始すると、吸気部１２から低温空気が放熱フィン１の導風領域１１に流入する。これにより、電子素子から発生する熱は、導風方式により、放熱されることになる。
【０００５】
この種の従来の放熱装置としては、例えば、特許文献１に記載の放熱装置がある。この特許文献１に記載の放熱装置は、複数の放熱フィンを備え、隣り合う２つの放熱フィンの間に風路が形成され、また、複数の放熱フィンの遠心ファンの近付く片側の中部から内へ凹んで切欠部を形成し、これら切欠部が順次連接することで、放熱器を貫く収容部を形成し、ヒートパイプがこの収容部を貫くように構成されている。
【先行技術文献】
【特許文献】
【０００６】
【特許文献１】特開２０１０−２４５５２６号公報
【考案の概要】
【考案が解決しようとする課題】
【０００７】
しかしながら、図１に示す従来の放熱装置は、複数の放熱フィン１が直立平行に配列され、吸気部１２及びこの吸気部１２とは逆側の端部に形成される排気部の端面が何れも平面の垂直形状であるため、熱エネルギが平面の排気部から外部に放出されにくく、熱が回流しやすい。従って、このような従来の導風放熱方式では、空気の対流による熱交換作用を有効に促進することができないため、導風効率が影響を受けてしまい、放熱効果が低く、改善の余地がある。
【０００８】
即ち、従来のファン用導風構造は、熱エネルギが外部に放出されにくく、熱が回流しやすいといった問題点があった。
【０００９】
また、特許文献１に記載の放熱装置は、単にヒートパイプを収容する収容部を形成するために、複数の放熱フィンの遠心ファンの近付く片側の中部から内へ凹んで切欠部を形成した構成であるので、図１に示す放熱装置と同様に、空気による放熱効率を高めることはできない。
【００１０】
そこで、本考案は前記問題点に鑑みてなされたもので、放熱効率を高めることができるファン用導風構造を提供することにある。
【課題を解決するための手段】
【００１１】
上述の課題を解決するために、本考案のファン用導風構造は、並設される複数の放熱フィンを備え、前記複数の放熱フィンは、一方の端部に第１の端部を有し、他方の端部に第２の端部を有し、隣り合う前記放熱フィンの間には、風道である通路が形成され、前記第１の端部の位置から長手方向の所定の長さ分までの位置には、少なくとも１つの第１の傾斜部が形成され、前記通路の前記第１の傾斜部の部分には、前記通路に連通する第１の導風路が形成されることを特徴とする。
【考案の効果】
【００１２】
本考案のファン用導風構造によれば、放熱効率を高めることができる。
【図面の簡単な説明】
【００１３】
【図１】従来のファン用導風構造を示す斜視図。
【図２】本考案の第１の実施形態に係るファン用導風構造を示す斜視図。
【図３】本考案の第１の実施形態に係るファン用導風構造にファンを組み合わせた状態を示す斜視図。
【図４】本考案の第２の実施形態に係るファン用導風構造を示す斜視図。
【図５】本考案の第２の実施形態に係るファン用導風構造にファンを組み合わせた状態を示す斜視図。
【図６】本考案の第３の実施形態に係るファン用導風構造を示す斜視図。
【図７】本考案の第３の実施形態に係るファン用導風構造にファンを組み合わせた状態を示す斜視図。
【図８】本考案の第４の実施形態に係るファン用導風構造を示す斜視図。
【図９】本考案の第４の実施形態に係るファン用導風構造にファンを組み合わせた状態を示す斜視図。
【図１０】本考案の第１の実施形態に係るファン用導風構造をファンと共に筐体内に装着した状態を示す斜視図。
【図１１】本考案の第２の実施形態に係るファン用導風構造をファンと共に筐体内に装着した状態を示す斜視図。
【図１２】本考案の第３の実施形態に係るファン用導風構造をファンと共に筐体内に装着した状態を示す斜視図。
【図１３】本考案の第４の実施形態に係るファン用導風構造をファンと共に筐体内に装着した状態を示す斜視図。
【考案を実施するための形態】
【００１４】
本考案の目的、特徴および効果を示す実施形態を図面に沿って詳細に説明する。
【００１５】
（第１の実施形態）
図２は、本考案の第１の実施形態に係るファン用導風構造を示す斜視図である。  
図２に示すように、第１の実施形態によるファン用導風構造２は、並設される複数の放熱フィン２０を有する。複数の放熱フィン２０は、一方の端部に第１の端部２０１を有し、他方の端部に第２の端部２０２を有している。
【００１６】
隣り合う２つの放熱フィン２０の間には、風路である通路３が形成される。また、複数の放熱フィン２０は、第１の端部２０１から長手方向の所定の長さ分を放熱フィン２０の面側に曲げることで、少なくとも１つの第１の傾斜部２０１１が形成される。
【００１７】
本実施の形態では、放熱フィン２０の第１の端部２０１から長手方向の所定の長さ分を放熱フィン２０の外側面方向に曲げることにより、前記第１の傾斜部２０１１を形成している。
【００１８】
隣り合う第１の傾斜部２０１１の間には、通路３に連通する第１の導風路３１が形成される。複数の放熱フィン２０と第１の傾斜部２０１１との間には、第１の挟角２０３が形成される。第１の挟角２０３の角度は、９０度より大きく、１８０度より小さい。
【００１９】
なお、第１の導風路３１は、ユーザの需要に応じ、第１の挟角２０３の角度を変更することにより、所望の導風路を形成するように構成しても良い。
【００２０】
図３は、本考案の第１実施形態に係るファン用導風構造２にファン４を組み合わせた状態を示す斜視図である。  
図３に示すように、前述のファン用導風構造２の放熱フィン２０の第１の傾斜部２０１１と反対の第２の端部２０２の後方には、ファン４が配置される。
【００２１】
このような構成において、ファン４が運転されると、気流が発生し、この気流は、複数の放熱フィン２０間の通路３を介して、第１の導風路３１に流れた後、放熱フィン２０の外部に放出するようにガイドされる。
【００２２】
第１の傾斜部２０１１は、所定の傾斜角度を有するため、気流が第１の傾斜部２０１１から流出したとき、気流と気流とが衝突して回流が発生するのを低減することができる。
【００２３】
このため、従来の放熱フィンによって構成されるファン用導風構造と比較し、本考案のファン用導風構造２は、気流の流通をスムーズにし、放熱フィン２０を通過する空気の対流を促進することができるため、迅速で効率の高い放熱を行うことができる。これにより、システム又は放熱器に進入する空気の温度が低下され、放熱効率を高めることができる。
【００２４】
従って、第１の実施の形態によれば、放熱効率を高めることができるファン用導風構造の実現が可能となる。
【００２５】
（第２の実施形態）
図４は、本考案の第２の実施形態に係るファン用導風構造を示す斜視図である。なお、図４に示す第２の実施形態に係るファン用導風構造２は、一部の部材間の対応関係が第１の実施形態によるファン用導風構造２と同一であるため、同一部分については説明を省略し、異なる部分を説明する。
【００２６】
第２の実施形態に係るファン用導風構造２は、第１の実施の形態における第１の傾斜部２０１１の他に、第２の傾斜部２０２１を設けて構成される。
【００２７】
詳しくは、図４に示すように、第２実施形態に係るファン用導風構造２は、放熱フィン２０の第１の端部２０１と反対側の第２の端部２０２が形成され、この第２の端部２０２の位置から長手方向の所定の長さ分を放熱フィン２０の面側に曲げることで、少なくとも１つの第２の傾斜部２０２１が形成される。
【００２８】
本実施の形態では、放熱フィン２０の第２の端部２０２から長手方向の所定の長さ分を放熱フィン２０の外側面方向に曲げることにより、前記第２の傾斜部２０２１を形成している。
【００２９】
複数の放熱フィン２０と第２の傾斜部２０２１との間には、第２の挟角２０４が形成される。第２の挟角２０４の角度は、９０度より大きく、１８０度より小さい。また、通路３の第２の傾斜部２０２１の部分には、通路３に連通する第２の導風路３２が形成される。
【００３０】
なお、第２の導風路３２は、ユーザの需要に応じ、第２の挟角２０４の角度を変更することにより、所望の導風路を形成するように構成しても良い。
【００３１】
図５は、本考案の第２の実施形態に係るファン用導風構造２にファン４を組み合わせた状態を示す斜視図である。  
図５に示すように、複数の放熱フィン２０、第１の傾斜部２０１１及び第２の傾斜部２０２１が組み合わされて配設されると、複数の通路３、複数の第１の導風路３１及び複数の第２の導風路３２が形成される。
【００３２】
複数の放熱フィン２０と第１の傾斜部２０１１との間には、第１の挟角２０３が形成され、複数の放熱フィン２０と第２の傾斜部２０２１との間には、第２の挟角２０４が形成される。
【００３３】
なお、第１の挟角２０３及び第２の挟角２０４は、ユーザの需要に応じ、角度を変更することができる。すなわち、第１の挟角２０３及び第２の挟角２０４の角度を変更することにより、所望の導風路を形成するように構成しても良い。
【００３４】
図５に示す構成において、ファン４が運転すると、まず、気流は、放熱フィン２０の第２の端部２０２の第２の導風路３２に流入する。次に、気流は、複数の放熱フィン２０の通路３を通過した後、第１の傾斜部２０１１の第１の導風路３１から流出する。これにより、好適な導風路が形成されることになる。
【００３５】
第２実施形態によるファン用導風構造２も、前記第１の実施の形態と同様に、気流と気流とが衝突して回流が発生するのを低減することができる。
【００３６】
複数の放熱フィン２０と第１の傾斜部２０１１との間に形成される第１の挟角２０３と、複数の放熱フィン２０と第２の傾斜部２０２１との間に形成される第２の挟角２０４との最も好適な角度は、１１５度〜１５５度に設定することが望ましい。勿論、この角度に限定されるものではなく、適宜変更しても良い。
【００３７】
気流が第２の傾斜部２０２１の第２の導風路３２から放熱フィン２０の通路３に流入した後、第１の傾斜部２０１１の第１の導風路３１から流出することにより、気流が滞留するのを最低にすることができ、好適な空気の対流を実現することができる。
【００３８】
従来の放熱フィンによって構成されるファン用導風構造と比較して、本考案の第２の実施形態によるファン用導風構造２は、第１の傾斜部２０１１及び第２の傾斜部２０２１の構造により、気流の流れ場を変更することができる。
【００３９】
また、第１の傾斜部２０１１の第１の導風路３１に第１の挟角２０３が形成され、第２の傾斜部２０２１の第２の導風路３２に第２の挟角２０４が形成される。これらの挟角の角度により、気流が放熱フィン２０から流出するとき、気流が回流するのを阻止することができる。
【００４０】
これにより、気流の流動速度を高め、気流をさらにスムーズに流通させることができるため、気流が滞留して熱が回流するのを防止することができる。また、放熱フィン２０を通過する空気の対流を促進し、迅速で効率の高い好適な放熱を実現することができる。
【００４１】
従って、第２の実施の形態によれば、放熱効率を高めることができるファン用導風構造の実現が可能となる。
【００４２】
（第３の実施形態）
図６は、本考案の第３の実施形態に係るファン用導風構造を示す斜視図である。なお、図６に示す第３の実施形態に係るファン用導風構造２は、一部の部材の構造特徴が前述の実施形態と同一であるため、同一部分については説明を省略し、異なる部分を説明する。
【００４３】
第３の実施形態に係るファン用導風構造２は、第２の実施の形態の構成に加え、第３の傾斜部２０１２を設けて構成される。
【００４４】
詳しくは、図６に示すように、第３の実施形態に係るファン用導風構造２は、放熱フィン２０の第１の端部２０１から長手方向の所定の長さ分を放熱フィン２０の面側に曲げることで、少なくとも１つの第３の傾斜部２０１２がさらに形成される。
【００４５】
本実施の形態では、放熱フィン２０の第１の端部２０１から長手方向の所定の長さ分を放熱フィン２０の外側面方向に曲げることにより、前記第３の傾斜部２０１２を形成している。
【００４６】
第３の傾斜部２０１２は、第１の傾斜部２０１１と隣り合うように配置される。通路３の第３の傾斜部２０１２の部分には、通路３に連通する第３の導風路３３が形成される。放熱フィン２０と第３の傾斜部２０１２との間には、第３の挟角２０５が形成される。第３の挟角２０５の角度は、９０度より大きく、１８０より小さい。
【００４７】
なお、第３の導風路３３は、ユーザの需要に応じ、第３の挟角２０５の角度を変更することにより、所望の導風路を形成するように構成しても良い。
【００４８】
図７は、本考案の第３の実施形態によるファン用導風構造２にファン４を組み合わせた状態を示す斜視図である。  
図７に示すように、複数の放熱フィン２０、第１の傾斜部２０１１、第２の傾斜部２０２１及び第３の傾斜部２０１２が、組み合わされて配設されると、複数の放熱フィン２０と第１の傾斜部２０１１との間には、第１の挟角２０３が形成され、複数の放熱フィン２０と第２の傾斜部２０２１との間には、第２の挟角２０４が形成され、複数の放熱フィン２０と第３の傾斜部２０１２との間には、第３の挟角２０５が形成される。なお、第１の挟角２０３、第２の挟角２０４及び第３の挟角２０５は、ユーザの需要に応じ、角度を変更することができる。すなわち、第１の挟角２０３、第２の挟角２０４及び第３の挟角２０５の角度を変更することにより、所望の導風路を形成するように構成しても良い。
【００４９】
図６に示す構成において、ファン４が運転すると、まず、気流は、放熱フィン２０の第２の端部２０２の第２の導風路３２に流入する。次に、気流は、複数の放熱フィン２０の通路３を通過した後、第１の傾斜部２０１１の第１の導風路３１から流出し、その後、気流は、第３の傾斜部２０１２の第３の導風路３３に回流した後、複数の放熱フィン２０の通路３を通過し、第３の傾斜部２０１２と反対側の第２の端部２０２から流出し、これにより、気流がスムーズに流れる回流風路が形成される。これにより、気流が滞留することがない上、放熱フィン２０を通過する空気の対流を有効に促進することができる。
【００５０】
従って、第３の実施形態によれば、放熱効率を高めることができるファン用導風構造の実現が可能となる。
【００５１】
（第４の実施形態）
図８は、本考案の第４の実施形態に係るファン用導風構造を示す斜視図である。なお、図８に示す第４の実施形態によるファン用導風構造２は、一部構造特徴が前述の実施形態と同一であるため、同一部分については説明を省略し、異なる部分を説明する。
【００５２】
第４の実施形態に係るファン用導風構造２は、第３の実施の形態の構成に加え、第４の傾斜部２０２２を設けて構成される。
【００５３】
詳しくは、図８に示すように、第４の実施形態によるファン用導風構造２は、放熱フィン２０の第２の端部２０２から長手方向の所定の長さ分を放熱フィン２０の面側に曲げることで、少なくとも１つの第４の傾斜部２０２２がさらに形成される。
【００５４】
本実施の形態では、放熱フィン２０の第２の端部２０２から長手方向の所定の長さ分を放熱フィン２０の外側面方向に曲げることにより、前記第４の傾斜部２０２２を形成している。
【００５５】
第４の傾斜部２０２２は、第２の傾斜部２０２１と隣り合うように配置される。通路３の第４の傾斜部２０２２の部分には、通路３に連通する第４の導風路３４が形成される。放熱フィン２０と第４の傾斜部２０２２との間には、第４の挟角２０６が形成される。第４の挟角２０６の角度は、９０度より大きく、１８０より小さい。
【００５６】
なお、第４の導風路３４は、ユーザの需要に応じ、第４の挟角２０６の角度を変更することにより、所望の導風路を形成するように構成しても良い。
【００５７】
図９は、本考案の第４の実施形態によるファン用導風構造２にファン４を組み合わせた状態を示す斜視図である。  
図９に示すように、複数の放熱フィン２０、第１の傾斜部２０１１、第２の傾斜部２０２１、第３の傾斜部２０１２及び第４の傾斜部２０２２が組み合わされて配設されると、複数の放熱フィン２０と第１の傾斜部２０１１との間には、第１の挟角２０３が形成され、複数の放熱フィン２０と第２の傾斜部２０２１との間には、第２の挟角２０４が形成される。また、複数の放熱フィン２０と第３の傾斜部２０１２との間には、第３の挟角２０５が形成され、複数の放熱フィン２０と第４の傾斜部２０２２との間には、第４の挟角２０６が形成される。
【００５８】
図９に示す構成において、ファン４が運転すると、まず、気流は、放熱フィン２０の第２の端部２０２の第２の導風路３２に流入する。次に、気流は、複数の放熱フィン２０の通路３を通過した後、第１の傾斜部２０１１の第１の導風路３１から流出し、その後、気流は、第３の傾斜部２０１２の第３の導風路３３に回流した後、複数の放熱フィン２０の通路３を通過する。
【００５９】
最後に、気流は、第２の端部２０２に形成される第４の導風路３４から流出し、これにより、本考案中、気流が最もスムーズに回流する回流風路が形成される。
【００６０】
これにより、第４の実施形態によるファン用導風構造２は、気流の流れ場を容易に変更することができ、気流が滞留することがない。また、気流と気流との衝突率を最低にすることができ、熱気流を分散し、他の放熱領域に平均的に流入させ、放熱効果を高めることができる。
【００６１】
従って、第４の実施形態によれば、前記第１〜第３の実施形態よりも放熱効率を高めることができるファン用導風構造の実現が可能となる。
【００６２】
次に、本考案の第１〜第４の実施形態に係る各ファン用導風構造を用いて放熱装置を構成した場合の構成例を図１０〜図１４を参照しながら説明する。
【００６３】
図１０は、本考案の第１の実施形態に係るファン用導風構造をファンと共に筐体内に装着した状態を示す斜視図である。  
図１０に示すように、放熱装置は、第１の実施形態のファン用導風構造２（図２参照）と、ファン４と、筐体５とを有して構成される。第１の実施形態によるファン用導風構造２は、ファン４と共に筐体５内に装着される。
【００６４】
筐体５は、複数の排気孔５１を有する。第１の導風路３１は、排気孔５１に対向配置される。なお、排気孔５１は、必要に応じて数を適宜調整しても良い。
【００６５】
図１０に示す放熱装置において、筐体５内のファン４が運転すると、気流は、複数のファン２０の通路３に流入した後、第１の傾斜部２０１１の第１の導風路３１から流出し、これにより、好適な導風路が形成される。従って、高温空気が高い放熱効率で筐体５内から排出されることになる。
【００６６】
従来のファン用導風構造の放熱フィンが筐体内に装着されることによって形成される放熱装置と比較し、本考案のファン用導風構造を用いた放熱装置は、筐体５内の熱気流の流通をさらにスムーズにすることができ、熱気流の流通が阻止されることがない。これにより、放熱フィン２０を通過する空気の対流が促進されるため、放熱装置の放熱効率を高めることができる。
【００６７】
図１１は、本考案の第２の実施形態に係るファン用導風構造をファンと共に筐体内に装着した状態を示す斜視図、図１２は、本考案の第３の実施形態に係るファン用導風構造をファンと共に筐体内に装着した状態を示す斜視図、図１３は、本考案の第４の実施形態に係るファン用導風構造をファンと共に筐体内に装着した状態を示す斜視図をそれぞれ示している。
【００６８】
図１１〜図１３に示す構造は、図１０に示す構造と一部構造特徴が同一であるため、同一部分については説明を省力し、異なる部分のみを説明する。
【００６９】
ここで、筐体５内に装着されるファン用導風構造２には、図１１に示す構造においては、第１の導風路３１及び第２の導風路３２が形成され、図１２に示す構造においては、第１の導風路３１、第２の導風路３２及び第３の導風路３３が形成され、図１３に示す構造においては、第１の導風路３１、第２の導風路３２、第３の導風路３３及び第４の導風路３４が形成される。
【００７０】
すなわち、筐体５内に、前記第２〜４の実施形態に係るファン用導風構造２をファン４と共にそれぞれ装着して各放熱装置を構成する。
【００７１】
図１１〜１３に示す放熱装置においては、筐体５内に装着されるファン用導風構造２の導風路が多いほど、筐体５内の熱気流の流通は、よりスムーズになる。また、導風路の増加により、筐体５内の気流の衝突率が低減され、気流の流通がよりスムーズになる。これにより、放熱装置を含むシステムの冷却効率が上がる上、筐体５の寿命を延長させることができる。
【００７２】
以上、上述したことから分かるように、本考案のファン用導風構造は、従来のファン用導風構造と比較し、以下（１）〜（３）に示す長所を有する。
【００７３】
（１）熱エネルギを外部に放出させやすい。
【００７４】
（２）熱が回流しにくい。
【００７５】
（３）気流の流通がスムーズである。
【００７６】
このため、このような本考案のファン用導風構造２を用いて放熱装置を構成すれば、放熱装置のコストを増大することなく、最適な放熱効果を実現することができると同時に、狭小な空間環境においてでも放熱装置の放熱状況を有効に改善することができる。
【００７７】
本考案は、以上述べた実施形態に限定されるものではなく、考案の要旨を逸脱しない範囲で種々変形、組合せ等実施可能である。
【符号の説明】
【００７８】
１…放熱フィン
１０…ファン
１１…導風領域
１２…吸気部
２…ファン用導風構造
２０…放熱フィン
２０１…第１の端部
２０１１…第１の傾斜部
２０１２…第３の傾斜部
２０２…第２の端部
２０２１…第２の傾斜部
２０２２…第４の傾斜部
２０３…第１の挟角
２０４…第２の挟角
２０５…第３の挟角
２０６…第４の挟角
３…通路
３１…第１の導風路
３２…第２の導風路
３３…第３の導風路
３４…第４の導風路
４…ファン
５…筐体
５１…排気孔
【図１】
0003170659.tif 000003
【図２】
0003170659.tif 000004
【図３】
0003170659.tif 000005
【図４】
0003170659.tif 000006
【図５】
0003170659.tif 000007
【図６】
0003170659.tif 000008
【図７】
0003170659.tif 000009
【図８】
0003170659.tif 000010
【図９】
0003170659.tif 000011
【図１０】
0003170659.tif 000012
【図１１】
0003170659.tif 000013
【図１２】
0003170659.tif 000014
【図１３】
0003170659.tif 000015